【手続補正書】
【提出日】平成28年6月3日(2016.6.3)
【手続補正１】
【補正対象書類名】特許請求の範囲
【補正対象項目名】全文
【補正方法】変更
【補正の内容】
【特許請求の範囲】
【請求項１】
複数のセルを含む通信ネットワークに測定レポートを提供するための通信装置であって、
前記複数のセルにおけるセルに接続し、ユーザデータを送信及び受信する手段と、
前記複数のセルの少なくとも１つにおける測定を設定するために、基地局に対する中継装置によって稼働される少なくとも１つの中継セルについて測定レポートの通知を発生させるための少なくとも１つの中継固有トリガイベントを定義する設定データを受信する手段と、
前記受信した設定データに基づいて、前記少なくとも１つの中継セルにおいて測定を実行する手段と、
前記測定の結果に基づいて、前記中継固有トリガイベントが発生したか否かを判定する手段と、
前記トリガイベントが発生したと判定した場合に、測定レポートを前記通信ネットワークに送信する手段と、
を備えた通信装置。
【請求項２】
前記少なくとも１つの中継セルは、ハンドオーバー先となる可能性のある候補セルを含む、
請求項１に記載の通信装置。
【請求項３】
前記設定データは、前記測定の結果が閾値と一致した又は超えた場合に発生するトリガイベントに対する条件を定義する、
請求項１又は２に記載の通信装置。
【請求項４】
前記設定データは、前記測定の結果が閾値（又はさらなる閾値）と一致した又は下回った場合に発生するトリガイベントに対する条件を定義する、
請求項１乃至３のいずれか１項に記載の通信装置。
【請求項５】
前記閾値（又は前記閾値のそれぞれ）は、前記設定データで提供される値を含む、
請求項３又は４に記載の通信装置。
【請求項６】
前記設定データは、前記測定の結果が、前記複数のセルのさらなる対応する測定の結果と一致した又は超えた場合に発生するトリガイベントに対する条件を定義する、
請求項１乃至５のいずれか１項に記載の通信装置。
【請求項７】
前記設定データは、前記測定の結果が、前記複数のセルのさらなる（又はさらに別の）対応する測定の結果と一致した又は下回った場合に発生するトリガイベントに対する条件を定義する、
請求項１乃至６のいずれか１項に記載の通信装置。
【請求項８】
前記設定データは、前記測定の結果が、閾値、又は、イベントを発生するための前記複数のセルのさらなる測定の結果を超えるべき又は下回るべき範囲を定義する少なくとも１つのヒステリシス（及び／又はオフセット）値を定義する、
請求項３乃至７のいずれか１項に記載の通信装置。
【請求項９】
前記測定の結果は、発信源の前記セルの信号状態の測定値を含む、
請求項１乃至８のいずれか１項に記載の通信装置。
【請求項１０】
前記設定データは、前記中継セルの少なくとも１つにおける信号状態が、前記通信装置が現在接続されているセルにおける通信状態よりも良くなった場合に発生するトリガイベントに対する進入条件を定義する、
請求項９に記載の通信装置。
【請求項１１】
前記設定データは、さらに、（ａ）前記中継セルの少なくとも１つにおける信号状態が、前記通信装置が現在接続されているセルにおける通信状態よりも良くなり、（ｂ）前記中継セルの少なくとも１つにおける信号状態が、非中継の隣接セルにおける信号状態よりも良くなった場合に発生するトリガイベントに対する進入条件を定義する、
請求項９又は１０に記載の通信装置。
【請求項１２】
前記設定データは、さらに、（ａ）前記中継セルの少なくとも１つにおける信号状態が、前記通信装置が現在接続されているセルにおける通信状態よりも良くなり、（ｂ）前記中継セルの少なくとも１つにおける信号状態が、非中継の隣接セルにおける信号状態よりも良くなり、（ｃ）前記現在のセルにおける信号状態が、閾値を下回った場合に発生するトリガイベントに対する進入条件を定義する、
請求項９乃至１１のいずれか１項に記載の通信装置。
【請求項１３】
前記設定データは、さらに、（ａ）前記中継セルの少なくとも１つにおける信号状態が、第１の閾値よりも良くなり、（ｂ）前記通信装置が現在接続されているセルにおける通信状態が、第２の閾値を下回った場合に発生するトリガイベントに対する進入条件を定義する、
請求項９乃至１２のいずれか１項に記載の通信装置。
【請求項１４】
前記設定データは、（ｃ）隣接するセルにおける信号状態も、前記第２の閾値を下回った場合に発生するトリガイベントに対する進入条件を定義する、
請求項１３に記載の通信装置。
【請求項１５】
複数のセルを含む通信ネットワークに測定レポートを提供するための通信装置によって実施される方法であって、
ユーザデータを送信及び受信するために、前記複数のセルにおけるセルに接続し、
前記複数のセルの少なくとも１つにおける測定を設定するために、基地局に対する中継装置によって稼働される少なくとも１つの中継セルについて測定レポートの通知を発生させるための少なくとも１つの中継固有トリガイベントを定義する設定データを受信し、
前記受信した設定データに基づいて、前記少なくとも１つの中継セルにおいて測定を実行し、
前記測定の結果に基づいて、前記中継固有トリガイベントが発生したか否かを判定し、
前記トリガイベントが発生したと判定した場合に、測定レポートを前記通信ネットワークに送信する、
を備えた方法。
【手続補正２】
【補正対象書類名】明細書
【補正対象項目名】０１４０
【補正方法】変更
【補正の内容】
【０１４０】
この出願は、２０１２年１０月３１日に出願された英国特許出願ＧＢ１２１９６０４．４を基礎とする優先権を主張し、その開示の全てをここに取り込む。
（付記１）
複数のセルを含む通信ネットワークに測定レポートを提供するための通信装置であって、
前記複数のセルにおけるセルに接続し、ユーザデータを送信及び受信する手段と、
前記複数のセルの少なくとも１つにおける測定を設定するために、基地局に対する中継装置によって稼働される少なくとも１つの中継セルについて測定レポートの通知を発生させるための少なくとも１つの中継固有トリガイベントを定義する設定データを受信する手段と、
前記受信した設定データに基づいて、前記少なくとも１つの中継セルにおいて測定を実行する手段と、
前記測定の結果に基づいて、前記中継固有トリガイベントが発生したか否かを判定する手段と、
前記トリガイベントが発生したと判定した場合に、測定レポートを前記通信ネットワークに送信する手段と、
を備えた通信装置。
（付記２）
前記少なくとも１つの中継セルは、ハンドオーバー先となる可能性のある候補セルを含む、
付記１に記載の通信装置。
（付記３）
前記設定データは、前記測定の結果が閾値と一致した又は超えた場合に発生するトリガイベントに対する条件を定義する、
付記１又は２に記載の通信装置。
（付記４）
前記設定データは、前記測定の結果が閾値（又はさらなる閾値）と一致した又は下回った場合に発生するトリガイベントに対する条件を定義する、
付記１乃至３のいずれか１項に記載の通信装置。
（付記５）
前記閾値（又は前記閾値のそれぞれ）は、前記設定データで提供される値を含む、
付記３又は４に記載の通信装置。
（付記６）
前記設定データは、前記測定の結果が、前記複数のセルのさらなる対応する測定の結果と一致した又は超えた場合に発生するトリガイベントに対する条件を定義する、
付記１乃至５のいずれか１項に記載の通信装置。
（付記７）
前記設定データは、前記測定の結果が、前記複数のセルのさらなる（又はさらに別の）対応する測定の結果と一致した又は下回った場合に発生するトリガイベントに対する条件を定義する、
付記１乃至６のいずれか１項に記載の通信装置。
（付記８）
前記設定データは、前記測定の結果が、閾値、又は、イベントを発生するための前記複数のセルのさらなる測定の結果を超えるべき又は下回るべき範囲を定義する少なくとも１つのヒステリシス（及び／又はオフセット）値を定義する、
付記３乃至７のいずれか１項に記載の通信装置。
（付記９）
前記測定の結果は、発信源の前記セルの信号状態の測定値を含む、
付記１乃至８のいずれか１項に記載の通信装置。
（付記１０）
前記設定データは、前記中継セルの少なくとも１つにおける信号状態が、前記通信装置が現在接続されているセルにおける通信状態よりも良くなった場合に発生するトリガイベントに対する進入条件を定義する、
付記９に記載の通信装置。
（付記１１）
前記設定データは、さらに、（ａ）前記中継セルの少なくとも１つにおける信号状態が、前記通信装置が現在接続されているセルにおける通信状態よりも良くなり、（ｂ）前記中継セルの少なくとも１つにおける信号状態が、非中継の隣接セルにおける信号状態よりも良くなった場合に発生するトリガイベントに対する進入条件を定義する、
付記９又は１０に記載の通信装置。
（付記１２）
前記設定データは、さらに、（ａ）前記中継セルの少なくとも１つにおける信号状態が、前記通信装置が現在接続されているセルにおける通信状態よりも良くなり、（ｂ）前記中継セルの少なくとも１つにおける信号状態が、非中継の隣接セルにおける信号状態よりも良くなり、（ｃ）前記現在のセルにおける信号状態が、閾値を下回った場合に発生するトリガイベントに対する進入条件を定義する、
付記９乃至１１のいずれか１項に記載の通信装置。
（付記１３）
前記設定データは、さらに、（ａ）前記中継セルの少なくとも１つにおける信号状態が、第１の閾値よりも良くなり、（ｂ）前記通信装置が現在接続されているセルにおける通信状態が、第２の閾値を下回った場合に発生するトリガイベントに対する進入条件を定義する、
付記９乃至１２のいずれか１項に記載の通信装置。
（付記１４）
前記設定データは、（ｃ）隣接するセルにおける信号状態も、前記第２の閾値を下回った場合に発生するトリガイベントに対する進入条件を定義する、
付記１３に記載の通信装置。
（付記１５）
前記設定データは、さらに、（ａ）前記中継セルの少なくとも１つにおける信号状態が、前記通信装置が現在接続されているセルにおける通信状態よりも良くなり、（ｂ）非中継の隣接セルにおける信号状態が、閾値を下回った場合に発生するトリガイベントに対する進入条件を定義する、
付記９乃至１３のいずれか１項に記載の通信装置。
（付記１６）
前記設定データは、さらに、（ａ）前記中継セルの少なくとも１つにおける信号状態が、非中継の隣接セルにおける信号状態よりも良くなった場合に発生するトリガイベントに対する進入条件を定義する、
付記９乃至１３のいずれか１項に記載の通信装置。
（付記１７）
前記測定の結果は、参照信号受信電力'ＲＳＲＰ'、参照信号受信品質'ＲＳＲＱ'、受信信号強度インジケータ'ＲＳＳＩ'、及び受信信号コード電力'ＲＳＣＰ'の少なくとも１つの測定値を含む、
付記１乃至１６のいずれか１項に記載の通信装置。
（付記１８）
前記設定データは、周期的なトリガイベントを定義する。
付記１乃至１７のいずれか１項に記載の通信装置。
（付記１９）
前記設定データは、前記少なくとも１つの中継セルに進入又は離脱するための異なる条件を定義するためのヒステリシス値を含む、
付記１乃至１８のいずれか１項に記載の通信装置。
（付記２０）
前記設定データは、タイマ値を含み、（ａ）前記タイマの開始時点で前記進入条件が満たされ、（ｂ）前記タイマを実行している間、前記離脱状態が満たされなかった場合に発生するトリガイベントを定義する、
付記１９に記載の通信装置。
（付記２１）
前記測定レポートは、前記トリガイベントの識別子と、前記中継セルの識別子とを含む、
付記１乃至２０のいずれか１項に記載の通信装置。
（付記２２）
前記測定レポートは、前記中継セルにおける受信電力レベルに関する情報を含む、
付記１乃至２１のいずれか１項に記載の通信装置。
（付記２３）
前記中継装置は、携帯通信装置である、
付記１乃至２２のいずれか１項に記載の通信装置。
（付記２４）
前記通信装置は、さらに、さらなる少なくとも１つのセルにおける測定を設定するため追加設定データを受信し、
前記追加設定データは、基地局セルで固有の少なくとも１つのトリガイベントを含む、
付記１乃至２３のいずれか１項に記載の通信装置。
（付記２５）
前記通信装置は、無線リソース制御'ＲＲＣ'シグナリングを使用して、前記設定データの受信、及び／又は、前記測定レポートの送信をするように動作する、
付記１乃至２４のいずれか１項に記載の通信装置。
（付記２６）
前記通信装置は、さらに、前記通信装置と他の通信装置との間でユーザデータを中継するための中継装置として前記中継装置を動作させる手段を備えた、
付記１乃至２５のいずれか１項に記載の通信装置。
（付記２７）
前記中継装置として前記通信装置を動作させる手段は、非ＬＴＥインタフェースを介して、前記ユーザデータを中継するように動作する、
付記２６に記載の通信装置。
（付記２８）
前記中継装置として前記通信装置を動作させる手段は、例えば'ＵＥＲ−Ｕｕ'インタフェース等のＬＴＥインタフェースを介して、前記ユーザデータを中継するように動作する、
付記２６に記載の通信装置。
（付記２９）
前記中継装置として前記通信装置を動作させる手段は、例えば、ＵＭＴＳ、ＨＳＰＡ、Ｗｉ−Ｆｉ、ＣＤＭＡ、又はＷｉＭＡＸインタフェース等の少なくとも１つの非ＬＴＥインタフェースを介して、前記ユーザデータを中継するように動作する、
付記２６に記載の通信装置。
（付記３０）
前記通信装置は、携帯電話、携帯情報端末、ラップトップ型コンピュータ、ウェブブラウザ、及び電子書籍リーダーの少なくとも１つを含む、
付記１乃至２９のいずれか１項に記載の通信装置。
（付記３１）
複数のセルを含む通信ネットワークにおける通信装置から測定レポートを取得するための基地局であって、
前記通信ネットワークの少なくとも１つのセルにおける測定を設定するために、前記又は他の基地局に対する中継装置によって稼働される少なくとも１つの中継固有トリガイベントを定義する設定データを、前記通信装置に提供する手段と、
前記中継固有トリガイベントが発生した場合における測定レポートを、前記通信装置から受信する手段と、
を備えた基地局。
（付記３２）
前記基地局は、さらに、前記受信した測定レポートに基づいて前記通信装置に対するハンドオーバー対象セルを選択する、
付記３１に記載の基地局。
（付記３３）
前記基地局は、Ｅ−ＵＴＲＡＮ基地局を含む、
付記３１又は３２に記載の基地局。
（付記３４）
前記基地局は、さらに、前記基地局と、中継装置として動作するように構成された通信装置との間における'ＵＥＲ−Ｕｎ'インタフェースを提供する手段を備えた、
付記３１乃至３３のいずれか１項に記載の基地局。
（付記３５）
複数の携帯通信装置を含む通信ネットワークにおけるセルを稼働するための基地局であって、
中継セルを稼働する中継装置として動作する前記携帯通信装置の少なくとも１つを示す情報を取得する手段と、
中継装置として動作する前記携帯通信装置のそれぞれを特定する情報を管理する手段と、
を備えた基地局。
（付記３６）
前記基地局は、さらに、前記管理された情報に基づいて、携帯通信装置によって稼働される中継セルのそれぞれについて測定を設定するための設定情報を生成する手段を備え、
前記設定データは、少なくとも１つの中継固有トリガイベントを定義する、
付記３５に記載の基地局。
（付記３７）
前記基地局は、前記少なくとも１つの中継装置セルを稼働する前記通信装置から、又は、他の基地局から、前記情報を取得するように動作する取得手段を備えた、
付記３５又は３６に記載の基地局。
（付記３８）
付記１乃至２９のいずれか１つに記載の通信装置、及び、付記３１乃至３４のいずれか１つに記載の基地局、及び／又は、付記３５又は３７に記載の基地局を備えた
システム。
（付記３９）
複数のセルを含む通信ネットワークに測定レポートを提供するための通信装置によって実施される方法であって、
ユーザデータを送信及び受信するために、前記複数のセルにおけるセルに接続し、
前記複数のセルの少なくとも１つにおける測定を設定するために、基地局に対する中継装置によって稼働される少なくとも１つの中継セルについて測定レポートの通知を発生させるための少なくとも１つの中継固有トリガイベントを定義する設定データを受信し、
前記受信した設定データに基づいて、前記少なくとも１つの中継セルにおいて測定を実行し、
前記測定の結果に基づいて、前記中継固有トリガイベントが発生したか否かを判定し、
前記トリガイベントが発生したと判定した場合に、測定レポートを前記通信ネットワークに送信する、
を備えた方法。
（付記４０）
複数のセルを含む通信ネットワークにおける通信装置から測定レポートを取得するための基地局によって実施される方法であって、
前記通信ネットワークの少なくとも１つのセルにおける測定を設定するために、前記又は他の基地局に対する中継装置によって稼働される少なくとも１つの中継固有トリガイベントを定義する設定データを、前記通信装置に提供し、
前記中継固有トリガイベントが発生した場合における測定レポートを、前記通信装置から受信する、
を備えた方法。
（付記４１）
複数の携帯通信装置を含む通信ネットワークにおけるセルを稼働するための基地局によって実施される方法であって、
中継セルを稼働する中継装置として動作する前記携帯通信装置の少なくとも１つを示す情報を取得し、
中継装置として動作する前記携帯通信装置のそれぞれを特定する情報を管理する、
を備えた方法。